(57)【要約】【課題】三方枠の上枠に遮煙用のパッキンを容易に能率よく取り付けてその上枠とドアパネルとの間の隙間を密閉することができるエレベータドアの遮煙装置を提供する。【解決手段】建屋のエレベータホールと昇降路との間の乗降部に設けられた三方枠３と、三方枠３に対向して左右方向に移動可能に配置され、その移動で前記乗降部を開閉するドアパネル８と、三方枠３の上部の上枠５に形成された折返し板１２ｂに取り付けられ、ドアパネル８に接触することにより三方枠３の上枠５とドアパネル８との間の隙間Ｇを密閉する弾性体からなるパッキン１７と、このパッキン１７を折返し板１２ｂに取り付けるための締着具１８とを具備し、締着具１８は、弾性的に拡開可能な挟み部２５を有し、この挟み部２５でパッキン１７の基部２２を折返し板１２ｂの縁部に弾性的に挟み込んでそのパッキン１７を折返し板１２ｂに脱着可能に取り付ける。【選択図】    図３
2005306578.tif 000002
【特許請求の範囲】
【請求項１】
建屋のエレベータホールと昇降路との間の乗降部に設けられた三方枠と、
前記三方枠に対向して左右方向に移動可能に配置され、その移動で前記乗降部を開閉するドアパネルと、
前記三方枠の上部の上枠に形成された折返し板に取り付けられ、前記ドアパネルに接触することにより前記三方枠の上枠と前記ドアパネルとの間の隙間を密閉する弾性体からなるパッキンと、
前記パッキンを前記折返し板に取り付けるための締着具とを具備し、
前記締着具は、弾性的に拡開可能な挟み部を有し、この挟み部で前記パッキンの基部を前記折返し板の縁部に弾性的に挟み込んでそのパッキンを前記折返し板に脱着可能に取り付けてなることを特徴とするエレベータドアの遮煙装置。
【請求項２】
建屋のエレベータホールと昇降路との間の乗降部に設けられた三方枠と、
前記三方枠に対向して左右方向に移動可能に配置され、その移動で前記乗降部を開閉するドアパネルと、
前記三方枠の上部の上枠に形成された折返し板に取り付けられ、前記ドアパネルに接触することにより前記三方枠の上枠と前記ドアパネルとの間の隙間を密閉する弾性体からなるパッキンとを具備し、
前記パッキンは、弾性変形が可能な嵌合突起を一体的に有し、前記三方枠の折返し板には前記嵌合突起に対応する嵌合孔が形成され、この嵌合孔に前記嵌合突起を弾性的に圧入することにより前記パッキンを前記折返し板に脱着可能に取り付けてなることを特徴とするエレベータドアの遮煙装置。
【請求項３】
建屋のエレベータホールと昇降路との間の乗降部に設けられた三方枠と、
前記三方枠に対向して左右方向に移動可能に配置され、その移動で前記乗降部を開閉するドアパネルと、
前記三方枠の上部の上枠に形成された折返し板に取り付けられ、前記ドアパネルに接触することにより前記三方枠の上枠と前記ドアパネルとの間の隙間を密閉する弾性体からなるパッキンとを具備し、
前記パッキンは、切込み溝を有し、この切込み溝を前記三方枠の折返し板の縁部に圧入することによりその折返し板に脱着可能に取り付けてなることを特徴とするエレベータドアの遮煙装置。
【発明の詳細な説明】
【技術分野】
【０００１】
この発明は、エレベータの昇降路とエレベータホールとの間のドア機構の気密性を高めて、火災発生時の煙の流通を遮断するエレベータドアの遮煙装置に関する。
【背景技術】
【０００２】
建屋のエレベータホールと昇降路との間には、エレベータに対する乗降部としての出入口が設けられ、この出入口に三方枠が据え付けられ、この三方枠の背面側に前記出入口を開閉する引き戸式のドアパネルが設けられている。
【０００３】
前記出入口は通常時には前記ドアパネルにより閉鎖され、昇降路内を昇降するかごがその階のエレベータホールに着床した際に開放動作し、そのかごがエレベータホールから離れる際に閉合動作して前記出入口が閉鎖される。
【０００４】
ところで、通常時に出入口はドアパネルで閉鎖されているとはいえ、そのドアパネルと三方枠との間には僅かな隙間があり、このためエレベータホールで火災が発生した際に、その煙が前記隙間を通して昇降路内に流入し、昇降路が煙を上昇させる煙突として働いて火勢が強まると共に、煙が他の階床にまで拡散し、入居者の避難を困難にしてしまう恐れがある。
【０００５】
そこで、近年では、ドア機構の密閉性を高めることが重要な課題となっており、その一環として三方枠の上枠とドアパネルとの間の隙間をゴム等の弾性体からなるパッキンで密閉して遮煙することが行なわれるようになってきている。
【０００６】
すなわち、三方枠の上枠に所定のピッチで複数のねじ穴を形成し、その各ねじ穴にねじを螺挿し、その複数のねじでゴム等の弾性体からなるパッキンを上枠に取り付け、このパッキンをドアパネルの閉鎖時にそのドアパネルの表面に弾性的に接触させ、このパッキンで三方枠の上枠とドアパネルとの間の隙間を密閉して煙の流通を遮断し、ドア機構の気密性を高めるようにしている。
【０００７】
パッキンの取り付けは、建屋に三方枠を据え付けた後において、その三方枠の上枠に複数のねじで取り付ける現地作業により行なわれている。
【発明の開示】
【発明が解決しようとする課題】
【０００８】
しかしながら、上述のような従来の構造では、パッキンを複数のねじで三方枠の上枠に取り付けて固定しなければならない。パッキンの取り付けは、三方枠を建屋に据え付けた後の現地作業により行なわれるから、限られた狭いスペースでの作業となり、工具を用い、ねじでパッキンを固定する細かな作業には多大の労力と時間がかかり効率が悪く、作業性が低下する。
【０００９】
特に、高層の建屋のように、多数階の各エレベータホールにおける出入口の三方枠にいちいち複数のねじで遮煙用のパッキンを取り付けるとなると、相当効率が悪くなり、より一層作業性が低下する。
【００１０】
また、パッキンは徐々に劣化するから、定期的にあるいは必要に応じてその交換のためのメンテナンスを実施する必要があるが、その際もパッキンをねじの取り外し、取り付けにより交換しなければならず、効率が悪く、メンテナンス性が低下する。
【００１１】
さらに、三方枠の上枠には、複数のねじ穴を加工しなければならず、このため三方枠の製作コストも高くなる難点がある。
【００１２】
この発明はこのような点に着目してなされたもので、その目的とするところは、三方枠の上枠に遮煙用のパッキンを容易に能率よく取り付けてその上枠とドアパネルとの間の隙間を密閉することができるエレベータドアの遮煙装置を提供することにある。
【課題を解決するための手段】
【００１３】
請求項１の発明は、建屋のエレベータホールと昇降路との間の乗降部に設けられた三方枠と、前記三方枠に対向して左右方向に移動可能に配置され、その移動で前記乗降部を開閉するドアパネルと、前記三方枠の上部の上枠に形成された折返し板に取り付けられ、前記ドアパネルに接触することにより前記三方枠の上枠と前記ドアパネルとの間の隙間を密閉する弾性体からなるパッキンと、前記パッキンを前記折返し板に取り付けるための締着具とを具備し、前記締着具は、弾性的に拡開可能な挟み部を有し、この挟み部で前記パッキンの基部を前記折返し板の縁部に弾性的に挟み込んでそのパッキンを前記折返し板に脱着可能に取り付けてなることを特徴としている。
【００１４】
請求項２の発明は、建屋のエレベータホールと昇降路との間の乗降部に設けられた三方枠と、前記三方枠に対向して左右方向に移動可能に配置され、その移動で前記乗降部を開閉するドアパネルと、前記三方枠の上部の上枠に形成された折返し板に取り付けられ、前記ドアパネルに接触することにより前記三方枠の上枠と前記ドアパネルとの間の隙間を密閉する弾性体からなるパッキンとを具備し、前記パッキンは、弾性変形が可能な嵌合突起を一体的に有し、前記三方枠の折返し板には前記嵌合突起に対応する嵌合孔が形成され、この嵌合孔に前記嵌合突起を弾性的に圧入することにより前記パッキンを前記折返し板に脱着可能に取り付けてなることを特徴としている。
【００１５】
請求項３の発明は、建屋のエレベータホールと昇降路との間の乗降部に設けられた三方枠と、前記三方枠に対向して左右方向に移動可能に配置され、その移動で前記乗降部を開閉するドアパネルと、前記三方枠の上部の上枠に形成された折返し板に取り付けられ、前記ドアパネルに接触することにより前記三方枠の上枠と前記ドアパネルとの間の隙間を密閉する弾性体からなるパッキンとを具備し、前記パッキンは、切込み溝を有し、この切込み溝を前記三方枠の折返し板の縁部に圧入することによりその折返し板に脱着可能に取り付けてなることを特徴としている。
【発明の効果】
【００１６】
この発明によれば、三方枠の上枠に遮煙用のパッキンを、ねじを用いる面倒な作業を要することなく、容易に能率よく取り付けてその上枠とドアパネルとの間の隙間を密閉することができる。
【発明を実施するための最良の形態】
【００１７】
以下、この発明の実施の形態について図面を参照して説明する。
【００１８】
図１ないし図５には第１の実施形態を示してある。図１は、エレベータの乗降部をエレベータホール側から見た斜視図で、エレベータホール１の壁面には乗降部としての出入口２が形成され、この出入口２の奥方側が乗りかごが昇降する昇降路となっている。
【００１９】
出入口２には三方枠３が据え付けられ、この三方枠３は、左右側に配置された一対の側枠４と、これら側枠４の上部間に架設された上枠５とで門形に構成されている。
【００２０】
そして三方枠３の背面側に、出入口２を開閉する例えば一対の両開き式のドアパネル８が設けられている。ドアパネル８は、図示しないがその上部に複数のドアローラを有し、その各ドアローラが建屋の壁面に水平に据え付けられたドアレールに転動自在に掛け合わされて左右方向に移動自在に懸架され、その左右方向の移動により出入口２が開閉されるようになっている。なお、出入口２の下部奥側部にはエレベータホール１の床面とほぼ面一に敷居９が水平に設けられ、この敷居９に沿ってドアパネル８が左右方向に移動する。
【００２１】
図２には三方枠３の構造を示してあり、一対の側枠４の上部間に架設された上枠５の前後縁部にはその上方に起立する折返し板１２ａ，１２ｂが一体的に形成されている。各折返し板１２ａ，１２ｂは、垂直に延びる垂直部１３と、この垂直部１３の上端縁から上枠５の内側に向って水平に突出する水平部１４とから断面Ｌ状をなしている。
【００２２】
図３には、図１におけるＡ−Ａ線に沿う部分の断面構造を示してあり、出入口２に設けられたドアパネル８はその閉鎖時に三方枠３の背面と対向し、上枠５の後部側の折返し板１２ｂとドアパネル８の表面との間に隙間Ｇが生じている。
【００２３】
そして前記折返し板１２ｂの水平部１４にゴム等の弾性体からなるパッキン１７が締着具１８を介して取り付けられている。このパッキン１７は三方枠３における上枠５の横幅とほぼ同じ長さを有し、このパッキン１７により前記隙間Ｇが密閉され、この密閉によりエレベータホール１側とドアパネル８の背方側の昇降路との間の空気流通経路が遮断されている。なお、ドアパネル８と三方枠３の側枠４との間の隙間および両ドアパネル８の戸当たり間の隙間は、ドアパネル８に取り付けられたパッキン（図示せず）により密閉されている。
【００２４】
したがって、エレベータホール１側で火災が発生したときの煙が昇降路側へ流入するような不都合が防止され、これにより昇降路による煙突化を防止して火勢の高まりや煙の他の階床への拡散を抑えることができる。
【００２５】
上枠５の折返し板１２ｂに取り付けられた前記パッキン１７は、図４に示すように、基部２２と密閉部２３とを一体に有する短冊状をなし、また前記締着具１８は断面Ｕ字状をなす弾性的に拡開が可能な挟み部２５を有し、この挟み部２５の一側縁から抑え部２６が一体に延出する形状となっている。
【００２６】
パッキン１７を折返し板１２ｂに取り付ける際には、図５（ａ）に示すように、まずパッキン１７の基部２２を折返し板１２ｂの水平部１４の上に押し当てるとともに、その基部２２を下方に折り曲げる。そして締着具１８を手先で持ち、図５（ｂ）に示すようにその挟み部２５の開放側を水平部１４の縁部に向け、水平部１４の外側に挟み部２５をその弾性力に抗して差込み、この挟み部２５で前記基部２２をＵ字状に折り曲げて水平部１４に挟み付けて圧着させる。
【００２７】
これにより図３に示すように、パッキン１７の基部２２が折返し板１２ｂの水平部１４に固定され、基部２２に連なる密閉部２３が三方枠３の後方側に向かって上側に傾斜するように延び出てその先端縁がドアパネル８の表面に弾性的に接触し、前記隙間Ｇが密閉される。密閉部２３の上面側は締着具１８の抑え部２６で抑えられ、安定してその形状が保持される。
【００２８】
ドアパネル８が戸開方向に移動する際には、そのドアパネル８の表面に対してパッキン１７の密閉部２３が摺動するが、その密閉部２３が締着具１８の抑え部２６で抑えられているため、密閉部２３が異形状に変形するようなことが防止される。
【００２９】
このように、パッキン１７はその基部２２を締着具１８の挟み部２５で折返し板１２ｂの水平部１４に挟み付けて圧着するだけで、ねじおよび工具を用いる場合のような面倒で煩わしい作業を要することなく、また狭い作業スペース内であっても容易に能率よく取り付けることができる。したがって、特に高層の建屋の各階の三方枠３の上枠５にパッキン１７を取り付けるような場合に、より効率が向上する。
【００３０】
一方、パッキン１７を取り外すときには、単に締着具１８の挟み部２５を折返し板１２ｂの水平部１４から抜き取ればよく、ねじおよび工具を用いる場合のような面倒で煩わしい作業を要することなく、容易に能率よく取り外すことができる。したがって、パッキン１７の交換が必要なときにその作業を効率よく行なうことができる。そしてこの場合、パッキン１７のみを交換すればよく、締着具１８はそのまま再使用することができ、したがってコストを軽減することができる。また、三方枠３の上枠５にはパッキン１７の取り付け用のねじ穴を加工するような必要がなく、このため三方枠３の製作コストも軽減することができる。
【００３１】
図６には第２の実施形態を示してあり、この実施形態においては、パッキン１７の基部２２の下面に弾性変形が可能な嵌合突起３０が一体に突出形成されている。この嵌合突起３０は先端部に膨大部３０ａを有している。嵌合突起３０はパッキン１７の基部２２の下面に複数設けられている。
【００３２】
また、三方枠３における上枠５の折返し板１２ｂの水平部１４には前記各嵌合突起３０に対応する嵌合孔３１が形成されている。そしてパッキン１７の各嵌合突起３０を水平部１４の上面側から前記嵌合孔３１内にその膨大部３０ａを弾性的に変形させながら圧入嵌合することにより、パッキン１７の基部２２を水平部１４に固定し、基部２２に連なる密閉部２３の先端縁をドアパネル８の表面に弾性的に接触させて隙間Ｇを密閉する構成となっている。
【００３３】
この場合には、パッキン１７に一体に形成された嵌合突起３０を水平部１４の嵌合孔３１に圧入して嵌合するだけで、ねじおよび工具を用いる場合のような面倒で煩わしい作業を要することなく、容易に能率よくパッキン１７を三方枠３の上枠５に取り付けることができる。したがって、特に高層の建屋の各階の三方枠３の上枠５にパッキン１７を取り付けるような場合に、より効率が向上する。
【００３４】
一方、パッキン１７を取り外すときには、単に嵌合突起３０を嵌合孔３１から抜き取ればよく、ねじおよび工具を用いる場合のような面倒で煩わしい作業を要することなく、容易に能率よく取り外すことができる。したがって、パッキン１７の交換が必要なときにその作業を効率よく行なうことができる。
【００３５】
図７には第３の実施形態を示してあり、この実施形態においては、パッキン１７の基部２２が一定の高さおよび厚さを有し、この基部２２の一側面に切込み溝２２ａが形成されている。そして基部２２の自由状態での切込み溝２２ａから基部２２の下端までの距離がＬ１で、また上枠５の上面から水平部１４の下面までの距離がＬ２で、Ｌ１＞Ｌ２の関係にある。
【００３６】
パッキン１７を取り付ける際には、基部２２の切込み溝２２ａを折返し板１２ｂの水平部１４の縁部に圧入するとともに、その切込み溝２２ａの下側の部分の基部２２を上枠５の上面と水平部１４の下面との間に弾性的に圧縮させながら圧入する。
【００３７】
これにより基部２２が折返し板１２ｂに固定され、基部２２に連なる密閉部２３の先端縁がドアパネル８の表面に弾性的に接触して隙間Ｇが密閉される。
【００３８】
この場合においても、パッキン１７の切込み溝２２ａを水平部１４に圧入するとともに、基部２２の一部を上枠５の上面と水平部１４の下面との間に圧入するだけで、ねじおよび工具を用いる場合のような面倒で煩わしい作業を要することなく、容易に能率よくパッキン１７を三方枠３の上枠５に取り付けることができる。したがって、特に高層の建屋の各階の三方枠３の上枠５にパッキン１７を取り付けるような場合に、より効率が向上する。
【００３９】
一方、パッキン１７を取り外すときには、単に基部２２の切込み溝２２ａを水平部１４から抜き取り、かつ基部２２を上枠５の上面と水平部１４の下面との間から抜き取ればよく、ねじおよび工具を用いる場合のような面倒で煩わしい作業を要することなく、容易に能率よく取り外すことができる。したがって、パッキン１７の交換が必要なときにその作業を効率よく行なうことができる。
【００４０】
なお、前記各実施形態では、一対のドアパネルが両開き式に移動するドア機構としたが、１枚あるいは複数枚のドアパネルが同一方向に移動する片開き式のドア機構においてもこの発明を同様に適用することが可能である。
【図面の簡単な説明】
【００４１】
【図１】この発明の第１の実施形態に係る遮煙装置を備えるエレベータドアを示す斜視図。
【図２】そのエレベータドアにおける三方枠の一部を示す斜視図。
【図３】図１中のＡ−Ａ線に沿う部分の断面図。
【図４】そのエレベータドアにおけるパッキンと締着具とを示す斜視図。
【図５】そのパッキンの取り付けの手順を示す断面図。
【図６】この発明の第２に実施形態を示す断面図。
【図７】この発明の第３の実施形態を示す断面図。
【符号の説明】
【００４２】
１…エレベータホール、２…出入口、３…三方枠、４…側枠、５…上枠、８…ドアパネル、９…敷居、１２ａ，１２ｂ…折返し板、１３…垂直部、１４…水平部、１７…パッキン、１８…締着具、２２…基部、２２ａ…切込み溝、２３…密閉部、２５…挟み部、２６…抑え部、３０…嵌合突起、３１…嵌合孔。
【図１】
2005306578.tif 000003
【図２】
2005306578.tif 000004
【図３】
2005306578.tif 000005
【図４】
2005306578.tif 000006
【図５】
2005306578.tif 000007
【図６】
2005306578.tif 000008
【図７】
2005306578.tif 000009